(57)【要約】【課題】不慣れなユーザでも容易に所望する映像の映像データが入力される入力端子を選択できる投射型映像表示装置を提供する。【解決手段】投射型映像表示装置１００に、複数の入力端子（１）と、投射手段（ＤＭＤ５，レンズ６等）と、各入力端子から入力される映像を所定の間隔毎で切り替えて投射手段に投射させる切替制御手段（ＣＰＵ８，切替プログラム１０Ｃ）と、映像を選択することにより当該映像が入力される入力端子の選択信号を出力する選択手段（操作部４）と、選択信号に対応付けられた入力端子から入力される映像を投射させる設定制御手段（ＣＰＵ８，設定プログラム１０Ｄ）と、各入力端子の選択回数を記憶する選択回数記憶手段（記憶部１０）と、を備え、切替制御手段に、選択回数の多い順に入力端子を切り替えさせ、映像の入力がされていない入力端子への切替が行われた場合に、映像の入力がされていない旨の所定の表示を投射させた。【選択図】図１
2006301214.tif 000002
【特許請求の範囲】
【請求項１】
スクリーンに映像を表示する投射型映像表示装置において、
複数の入力端子と、
前記複数の入力端子から入力されるそれぞれの映像データに基づく映像をスクリーンに投射する投射手段と、
所定の間隔毎に入力端子を切り替えて接続し、接続された入力端子から入力された映像データに基づく映像を前記投射手段に投射させる切替制御を行う切替制御手段と、
前記切替制御手段によって切替制御されて前記投射手段により投射された前記映像を選択することにより当該映像の前記映像データが入力される前記入力端子に関する選択信号を出力する選択手段と、
前記選択手段により出力された選択信号に基づいて、前記切替制御手段による切替制御を停止させて、当該選択信号に対応付けられた入力端子から入力される映像データに基づく映像を前記投射手段に投射させる設定制御を行う設定制御手段と、
前記複数の入力端子における各入力端子の前記選択手段による選択回数を記憶する選択回数記憶手段と、
を備え、
前記切替制御手段は、
前記選択回数記憶手段に記憶された各入力端子の選択回数の多い順に入力端子を切り替えるとともに、前記複数の入力端子の中で、映像データの入力がされていない入力端子を判別して、映像データの入力がされていない入力端子への切替が行われた場合に、映像データの入力がされていない旨の所定の表示を前記投射手段に投射させることを特徴とする投射型映像表示装置。
【請求項２】
スクリーンに映像を表示する投射型映像表示装置において、
複数の入力端子と、
前記複数の入力端子から入力されるそれぞれの映像データに基づく映像をスクリーンに投射する投射手段と、
所定の間隔毎に入力端子を切り替えて接続し、接続された入力端子から入力された映像データに基づく映像を前記投射手段に投射させる切替制御を行う切替制御手段と、
前記切替制御手段によって切替制御された前記投射手段により投射された前記映像を選択することにより当該映像の前記映像データが入力される前記入力端子に関する選択信号を出力する選択手段と、
前記選択手段により出力された選択信号に基づいて、前記切替制御手段による切替制御を停止させて、当該選択信号に対応付けられた入力端子から入力される映像データに基づく映像を前記投射手段に投射させる設定制御を行う設定制御手段と、
を備えることを特徴とする投射型映像表示装置。
【請求項３】
前記切替制御手段は、
前記複数の入力端子の中で、映像データの入力がされていない入力端子を判別して、映像データの入力がされていない入力端子への切替が行われた場合に、映像データの入力がされていない旨の所定の表示を前記投射手段に投射させることを特徴とする請求項２記載の投射型映像表示装置。
【請求項４】
前記切替制御手段は、
前記複数の入力端子の中で、映像データの入力がされていない入力端子を判別して、映像データの入力がされていない入力端子への切替が行われた場合に、前記所定の間隔を、映像データの入力がされる入力端子への切替が行われた場合よりも短くすることを特徴とする請求項２又は３投射型映像表示装置。
【請求項５】
前記切替制御手段は、
前記複数の入力端子の中で、映像データの入力がされていない入力端子を判別して、映像データの入力がされていない入力端子への切替を行わないことを特徴とする請求項２に記載の投射型映像表示装置。
【請求項６】
前記複数の入力端子における各入力端子の前記選択手段による選択回数を記憶する選択回数記憶手段を備え、
前記切替制御手段は、
前記選択回数記憶手段に記憶された各入力端子の選択回数の多い順に入力端子を切り替えることを特徴とする請求項２〜５の何れか一項に記載の投射型映像表示装置。
【請求項７】
各入力端子から入力される映像データの静止画像を記憶する静止画像記憶手段を備え、
前記切替制御手段は、切り替えた入力端子から入力される映像データに基づく映像とともに、前記静止画像記憶手段により記憶された他の入力端子から入力される映像データの静止画像を前記投射手段により投射させることを特徴とする請求項２〜６の何れか一項に記載の投射型映像表示装置。
【発明の詳細な説明】
【技術分野】
【０００１】
本発明は、投射型映像表示装置に関する。
【背景技術】
【０００２】
従来、テレビや投射型映像表示装置等の映像表示装置において、複数の入力端子を備え、ビデオレコーダやゲーム機等からの映像を表示するものが知られている。そして、複数の入力端子のうちどの入力端子から入力される映像データに基づく映像を表示するのかを、リモコンに設けられた各入力端子毎のスイッチを押下することで選択できるようにしたものが知られている（特許文献１）。
【０００３】
また、複数の入力端子を備え、各入力端子からの映像データ毎に設定された表示設定条件を記憶しておき、入力端子の切替時に該当する表示設定条件を読み出して、該表示設定条件に基づいて入力端子から入力される映像データに基づく映像を表示する投射型映像表示装置も知られている（特許文献２）。
【０００４】
さらに、ビデオレコーダ，テレビ等を接続するための入力端子を備える投射型映像表示装置において、ビデオレコーダ又はテレビから入力される映像データに基づく映像を投射型映像表示装置により投射表示する際には、テレビに音声のみを出力させ、映像を表示させないように構成したものも知られている（特許文献３）。
【特許文献１】特開２００３−２７４３１６号公報
【特許文献２】特開２００３−１９５４１５号公報
【特許文献３】特開平９−３７１６４号公報
【発明の開示】
【発明が解決しようとする課題】
【０００５】
しかしながら、選択したい映像がどの入力端子から入力されるものであるかを認識することができない不慣れなユーザにとっては、上述の映像表示装置を操作することは困難なこととなる。即ち、特許文献１に記載の映像表示装置では、選択したい映像がどの入力端子から入力されるものであるかが分からないとリモコンのどの入力端子のスイッチを押下するのかが分からず操作することができない。また、特許文献２及び３では、ユーザが所望の入力端子を選択するのを容易にする構成がなく、問題を解決することができない。
【０００６】
本発明の課題は、不慣れなユーザでも容易に所望する映像の映像データが入力される入力端子を選択できる投射型映像表示装置を提供することである。
【課題を解決するための手段】
【０００７】
請求項１に記載の発明は、スクリーンに映像を表示する投射型映像表示装置において、
複数の入力端子と、
前記複数の入力端子から入力されるそれぞれの映像データに基づく映像をスクリーンに投射する投射手段と、
所定の間隔毎に入力端子を切り替えて接続し、接続された入力端子から入力された映像データに基づく映像を前記投射手段に投射させる切替制御を行う切替制御手段と、
前記切替制御手段によって切替制御されて前記投射手段により投射された前記映像を選択することにより当該映像の前記映像データが入力される前記入力端子に関する選択信号を出力する選択手段と、
前記選択手段により出力された選択信号に基づいて、前記切替制御手段による切替制御を停止させて、当該選択信号に対応付けられた入力端子から入力される映像データに基づ
く映像を前記投射手段に投射させる設定制御を行う設定制御手段と、
前記複数の入力端子における各入力端子の前記選択手段による選択回数を記憶する選択回数記憶手段と、
を備え、
前記切替制御手段は、
前記選択回数記憶手段に記憶された各入力端子の選択回数の多い順に入力端子を切り替えるとともに、前記複数の入力端子の中で、映像データの入力がされていない入力端子を判別して、映像データの入力がされていない入力端子への切替が行われた場合に、映像データの入力がされていない旨の所定の表示を前記投射手段に投射させることを特徴としている。
【０００８】
請求項２に記載の発明は、スクリーンに映像を表示する投射型映像表示装置において、
複数の入力端子と、
前記複数の入力端子から入力されるそれぞれの映像データに基づく映像をスクリーンに投射する投射手段と、
所定の間隔毎に入力端子を切り替えて接続し、接続された入力端子から入力された映像データに基づく映像を前記投射手段に投射させる切替制御を行う切替制御手段と、
前記切替制御手段によって切替制御された前記投射手段により投射された前記映像を選択することにより当該映像の前記映像データが入力される前記入力端子に関する選択信号を出力する選択手段と、
前記選択手段により出力された選択信号に基づいて、前記切替制御手段による切替制御を停止させて、当該選択信号に対応付けられた入力端子から入力される映像データに基づく映像を前記投射手段に投射させる設定制御を行う設定制御手段と、
を備えることを特徴としている。
【０００９】
請求項３に記載の発明は、請求項２記載の投射型映像表示装置において、
前記切替制御手段は、
前記複数の入力端子の中で、映像データの入力がされていない入力端子を判別して、映像データの入力がされていない入力端子への切替が行われた場合に、映像データの入力がされていない旨の所定の表示を前記投射手段に投射させることを特徴としている。
【００１０】
請求項４に記載の発明は、請求項２又は３投射型映像表示装置において、
前記切替制御手段は、
前記複数の入力端子の中で、映像データの入力がされていない入力端子を判別して、映像データの入力がされていない入力端子への切替が行われた場合に、前記所定の間隔を、映像データの入力がされる入力端子への切替が行われた場合よりも短くすることを特徴としている。
【００１１】
請求項５に記載の発明は、請求項２に記載の投射型映像表示装置において、
前記切替制御手段は、
前記複数の入力端子の中で、映像データの入力がされていない入力端子を判別して、映像データの入力がされていない入力端子への切替を行わないことを特徴としている。
【００１２】
請求項６に記載の発明は、請求項２〜５の何れか一項に記載の投射型映像表示装置において、
前記複数の入力端子における各入力端子の前記選択手段による選択回数を記憶する選択回数記憶手段を備え、
前記切替制御手段は、
前記選択回数記憶手段に記憶された各入力端子の選択回数の多い順に入力端子を切り替えることを特徴としている。
【００１３】
請求項７に記載の発明は、請求項２〜６の何れか一項に記載の投射型映像表示装置において、
各入力端子から入力される映像データの静止画像を記憶する静止画像記憶手段を備え、
前記切替制御手段は、切り替えた入力端子から入力される映像データに基づく映像とともに、前記静止画像記憶手段により記憶された他の入力端子から入力される映像データの静止画像を前記投射手段により投射させることを特徴としている。
【発明の効果】
【００１４】
請求項１に記載の発明によれば、切替制御手段により、所定の間隔毎に入力端子が切り替えられて接続され、接続された入力端子から入力された映像データに基づく映像を投射手段に投射させる切替制御が行われ、選択手段により、切替制御手段によって切替制御された投射手段により投射された映像を選択することにより当該映像の映像データが入力される入力端子に関する選択信号が出力され、設定制御手段により、選択手段により出力された選択信号に基づいて、切替制御手段による切替制御を停止させて、当該選択信号に対応付けられた入力端子から入力される映像データに基づく映像を投射手段に投射させる設定制御が行われるので、ユーザは、選択したい映像がどの入力端子のものであるかを認識しなくとも、スクリーンに表示された映像のうち選択したい映像を選択するだけで、該映像の入力端子が自動選択され、スクリーンに投射されることとなって、不慣れなユーザでも容易に所望する映像の映像データが入力される入力端子を選択できる。
【００１５】
また、選択回数記憶手段により、複数の入力端子における各入力端子の選択手段による選択回数が記憶され、切替制御手段は、選択回数記憶手段に記憶された各入力端子の選択回数の多い順に入力端子を切り替えるので、ユーザが頻繁に選択する入力端子からの映像データに基づく映像が早い順番で投射されることとなって、ユーザが頻繁に選択する入力端子の映像をより早く選択することができる。
【００１６】
また、切替制御手段は、複数の入力端子の中で、映像データの入力がされていない入力端子を判別して、映像データの入力がされていない入力端子への切替が行われた場合に、映像データの入力がされていない旨の所定の表示を投射手段に投射させるので、ユーザは映像データの入力がされていない入力端子を容易に認識することができることとなって、ユーザが故障と誤認することを防ぐことができる。
【００１７】
請求項２に記載の発明によれば、切替制御手段により、所定の間隔毎に入力端子が切り替えられて接続され、接続された入力端子から入力された映像データに基づく映像を投射手段に投射させる切替制御が行われ、選択手段により、切替制御手段によって切替制御された投射手段により投射された映像を選択することにより当該映像の映像データが入力される入力端子に関する選択信号が出力され、設定制御手段により、選択手段により出力された選択信号に基づいて、切替制御手段による切替制御を停止させて、当該選択信号に対応付けられた入力端子から入力される映像データに基づく映像を投射手段に投射させる設定制御が行われるので、ユーザは、選択したい映像がどの入力端子のものであるかを認識しなくとも、スクリーンに表示された映像のうち選択したい映像を選択するだけで、該映像の入力端子が自動選択され、スクリーンに投射されることとなって、不慣れなユーザでも容易に所望する映像の映像データが入力される入力端子を選択できる。
【００１８】
請求項３に記載の発明によれば、請求項２に記載の発明と同様の効果が得られるのは勿論のこと、特に、切替制御手段は、複数の入力端子の中で、映像データの入力がされていない入力端子を判別して、映像データの入力がされていない入力端子への切替が行われた場合に、映像データの入力がされていない旨の所定の表示を投射手段に投射させるので、ユーザは映像データの入力がされていない入力端子を容易に認識することができることと
なって、ユーザが故障と誤認することを防ぐことができる。
【００１９】
請求項４に記載の発明は、請求項２又は３に記載の発明と同様の効果が得られるのは勿論のこと、特に、切替制御手段は、複数の入力端子の中で、映像データの入力がされていない入力端子を判別して、映像データの入力がされていない入力端子への切替が行われた場合に、所定の間隔を、映像データの入力がされる入力端子への切替が行われた場合よりも短くするので、無駄な時間をより短縮することができることとなって、より効率的に入力端子の切替を行うことができる。
【００２０】
請求項５に記載の発明は、請求項２に記載の発明と同様の効果が得られるのは勿論のこと、特に、切替制御手段は、複数の入力端子の中で、映像データの入力がされていない入力端子を判別して、映像データの入力がされていない入力端子への切替を行わないので、無駄な時間を省くことができることとなって、より効率的に入力端子の切替を行うことができる。
【００２１】
請求項６に記載の発明は、請求項２〜５の何れか一項に記載の発明と同様の効果が得られるのは勿論のこと、特に、選択回数記憶手段により、複数の入力端子における各入力端子の選択手段による選択回数が記憶され、切替制御手段は、選択回数記憶手段に記憶された各入力端子の選択回数の多い順に入力端子を切り替えるので、ユーザが頻繁に選択する入力端子からの映像データに基づく映像が早い順番で投射されることとなって、ユーザが頻繁に選択する入力端子の映像をより早く選択することができる。
【００２２】
請求項７に記載の発明は、請求項２〜６の何れか一項に記載の発明と同様の効果が得られるのは勿論のこと、特に、静止画像記憶手段により、各入力端子から入力される映像データの静止画像が記憶され、切替制御手段は、切り替えた入力端子から入力される映像データに基づく映像とともに、静止画像記憶手段により記憶された他の入力端子から入力される映像データの静止画像を投射手段により投射させるので、ユーザは、すべての入力端子から入力される映像データに基づく映像を一覧することができ、より好適に、入力端子の切替を行うことができる。
【発明を実施するための最良の形態】
【００２３】
以下、図を参照して、本発明に係る投射型映像表示装置を実施するための最良の形態を詳細に説明する。
（第１の実施形態）
まず、本発明の第１の実施形態に係る投射型映像表示装置１００の構成について説明する。本発明に係る投射型映像表示装置１００は、図１に示すように、ＤＶＩ（Disital  Visual  Interface）１Ａ，コンポーネント１Ｂ，Ｓビデオ端子１Ｃ，コンポジット１Ｄ，コンピュータ用端子１Ｅ，ビデオデコーダ２，Ａ／Ｄコンバータ３，操作部４，ＤＭＤ（digital  micromirror  device）５，レンズ６，制御部７等を備えて構成される。
【００２４】
ＤＶＩ１Ａ，コンポーネント１Ｂ，Ｓビデオ端子１Ｃ，コンポジット１Ｄ，コンピュータ用端子１Ｅは、外部機器からの映像データを入力するための入力端子１である。より具体的には、ＤＶＩ１Ａは、例えば、ＳＴＢ（セットトップボックス）等からの映像データを入力するための入力端子１である。
【００２５】
また、コンポーネント１Ｂは、例えば、ＤＶＤ等からの映像データを入力するための入力端子１である。
【００２６】
Ｓビデオ端子１Ｃ及びコンポジット１Ｄは、例えば、ビデオ等からの映像データを入力するための入力端子１である。
【００２７】
コンピュータ用端子１Ｅは、例えば、コンピュータ等からの映像データを入力するため
の入力端子１である。
【００２８】
ビデオデコーダ２は、例えば、ＤＶＩ１Ａ，コンポーネント１Ｂ，Ｓビデオ端子１Ｃ，コンポジット１Ｄ等と接続され、入力された映像データをデコードし、デコードした映像データを後述するＣＰＵ８に出力する。
【００２９】
Ａ／Ｄコンバータ３は、例えば、コンピュータ端子等と接続され、入力された映像データをデジタル方式に変換し、変換した映像データをＣＰＵ８に出力する。
【００３０】
操作部４は、各種の操作入力を行うためのキー等を備えている。より具体的には、操作部４は、例えば、各種のメニュー等を選択するためのカーソルキー４Ａや決定キー４Ｂ等を備えている。また、操作部４は、後述するＣＰＵ８が切替プログラム１０Ｃを実行することにより、所定の間隔毎に切り替えられてＤＭＤ５及びレンズ６等によりスクリーンＳに投射させた各入力端子１から入力される映像データに基づく映像のうち、ユーザが所望する映像を選択するための選択キー４Ｃ等を備えている。そして、ユーザが該選択キー４Ｃを押下することにより、選択信号が後述するＣＰＵ８に出力される。これにより、操作部４は、選択手段として機能する。
【００３１】
また、操作部４は、図示しないリモートコントローラ（以下、「リモコン」という）等で構成されてもよく、当該リモコンから選択信号がＣＰＵ８に出力されてもよい。より具体的には、リモコンは、例えば、ユーザが選択信号等を入力するための選択キー等を備え、入力された選択信号等を赤外線等によりＣＰＵ８に出力する。
【００３２】
ＤＭＤ５は、４８万〜１３１万個のマイクロミラーが敷き詰められたＩＣ（Integrated
Circuit）を備えた略矩形の光学デバイスである。ＤＭＤ５の一つ一つのマイクロミラーの傾きが各入力端子１から入力された映像データに基づいて制御され、ＤＭＤ５の反射面上に画像パターンが形成される。
【００３３】
そして、図示しない光源から放射された光は図示しないカラーホイール等により分光され、カラーホイール等により分光された各色光は、ＤＭＤ５により変調・反射され、図示しない合成部により合成される。
【００３４】
レンズ６は、投射レンズ等で構成され、合成された各色光をスクリーンＳに拡大投射する。
【００３５】
これにより、ＤＭＤ５及びレンズ６は、投射手段として機能する。
【００３６】
制御部７は、例えば、ＩＣチップ等により構成され、投射型映像表示装置１００の各部を制御して、各入力端子１から入力された映像データに基づく映像をスクリーンＳに投射させる。制御部７は、図１に示すように、ＣＰＵ（Central  Processing  Unit）８，Ｒ
ＡＭ（Random  Access  Memory）９，記憶部１０等を備えて構成される。
【００３７】
ＣＰＵ８は、記憶部１０に格納された処理プログラム等を読み出して、ＲＡＭ９に展開して実行することにより、投射型映像表示装置１００全体の制御を行う。
【００３８】
ＲＡＭ９は、ＣＰＵ８により実行された処理プログラム等を、ＲＡＭ９内のプログラム格納領域に展開するとともに、入力データや上記処理プログラムが実行される際に生じる処理結果等をワークエリアに格納する。
【００３９】
記憶部１０は、例えば、プログラムやデータ等が予め記憶されている記録媒体（図示せず）を有しており、この記録媒体は、例えば、半導体メモリ等で構成されている。また、記憶部１０は、ＣＰＵ８が投射型映像表示装置１００全体を制御する機能を実現させるための各種データ，各種処理プログラム，これらプログラムの実行により処理されたデータ等を記憶する。より具体的には、記憶部１０は、例えば、図１に示すように、ＯＳＤ（On
Screen  Display）データ１０Ａ，選択回数データ１０Ｂ，切替プログラム１０Ｃ，設
定プログラム１０Ｄ等を格納している。
【００４０】
ＯＳＤデータ１０Ａは、例えば、各入力端子１から入力される映像データに基づく映像に重ね合わせて投射表示されるＯＳＤ表示データ等である。ＯＳＤ表示データには、投射型映像表示装置１００を操作するためのアイコンや操作メニュー画面データ等があり、より具体的には、後述する入力端子検索画面１２のデータがある。また、ＯＳＤデータ１０Ａには、ＣＰＵ８が後述する切替プログラム１０Ｃを実行することにより、各入力端子１から入力される映像データに基づく映像をＤＭＤ５及びレンズ６等によりスクリーンＳに表示させる際に、該映像に重ね合わせて表示される「見たい映像が表示されたら選択キーを押してください」１４とのＯＳＤ表示データも含まれる。
【００４１】
選択回数データ１０Ｂは、例えば、各入力端子１のユーザにより選択された回数である。記憶部１０は、選択回数データ１０Ｂを格納することにより、選択回数記憶手段として機能する。
【００４２】
切替プログラム１０Ｃは、例えば、ＣＰＵ８に、各入力端子１から入力される映像データに基づく映像を所定の間隔毎に切り替えてＤＭＤ５及びレンズ６等により投射させる機能を実現させるプログラムである。より具体的には、切替プログラム１０Ｃは、ＣＰＵ８に、各入力端子１から入力される映像データに基づく映像を、選択回数データ１０Ｂとして記憶部１０に記憶された回数の多い入力端子１の順で、所定の間隔毎に切り替えて、ＤＭＤ５及びレンズ６等によりスクリーンＳに投射させるとともに、映像データが入力されていない入力端子１を判別して、映像データが入力されていない場合には、映像データが入力されていない旨の所定の表示、例えば、「Ｎｏ  Ｓｉｇｎａｌ」１３の表示を投射させる機能を実現させるプログラムである。
【００４３】
また、切替プログラム１０Ｃは、ＣＰＵ８に、所定の間隔毎に切り替えて投射された各入力端子１から入力される映像データに基づく映像に重ね合わせて、ＯＳＤデータ１０Ａである「見たい映像が表示されたら選択キーを押してください」１４とのＯＳＤ表示をスクリーンＳに投射させる機能を実現させるプログラムである。
【００４４】
ＣＰＵ８は、かかる切替プログラム１０Ｃを実行することにより、切替制御手段として機能する。
【００４５】
設定プログラム１０Ｄは、例えば、ＣＰＵ８に、切替プログラム１０Ｃを実行することにより、所定の間隔毎に切り替えてＤＭＤ５及びレンズ６等により投射された、各入力端子１から入力される映像データに基づく映像のうち、ユーザが見たい映像が投射されている際に、ユーザが操作部４の選択キー４Ｃを押下することにより出力された選択信号に基づいて、切替プログラム１０Ｃを実行することによる切替制御を停止させて、当該選択信号に対応付けられた入力端子１から入力される映像データに基づく映像をＤＭＤ５及びレンズ６等により投射させる設定制御を行う機能を実現させるプログラムである。ＣＰＵ８は、かかる設定プログラム１０Ｄを実行することにより、設定制御手段として機能する。
【００４６】
次に、上述のような構成の第１の実施形態に係る投射型映像表示装置１００の動作について、図２に示すフローチャートを参照しながら説明する。
【００４７】
まず、図示しない電源スイッチがユーザにより投入されると、ＣＰＵ８は、入力端子検索画面１２をＤＭＤ５及びレンズ６等により投射させる（ステップＳ１）。表示された入力端子検索画面１２の一例を図３に示す。
【００４８】
入力端子検索画面１２では、図３に示すように、入力端子１を検索するモードがユーザにより設定されるようになっている。入力端子１を検索するモードには、入力端子１を自動検索する「ＡＵＴＯ」，すべての入力端子１を検索する「ＡＬＬ」，ＤＶＩ１Ａを検索する「ＤＶＩ」，コンポーネント１Ｂを検索する「コンポーネント」，Ｓビデオ端子１Ｃ
を検索する「Ｓビデオ端子」，コンポジット１Ｄを検索する「コンポジット」，コンピュータ用端子１Ｅを検索する「コンピュータ用端子」等のモードがある。ユーザは、例えば、操作部４に設けられたカーソルキー４Ａ等を操作することにより、所望のモードの位置にカーソル（図示省略）を合わせ、決定キー４Ｂを押下することにより、所望のモードを選択入力するようになっている。
【００４９】
次に、ＣＰＵ８は、操作部４からの入力に基づいて、ステップＳ１の入力端子検索画面１２において、ユーザにより「ＡＬＬ」モードが選択されたか否かを判断する（ステップＳ２）。
【００５０】
ステップＳ２において、ＣＰＵ８が、操作部４からの入力に基づいて、ステップＳ１の入力端子検索画面１２において、ユーザにより「ＡＬＬ」モードが選択されなかったと判断した場合には（ステップＳ２；Ｎｏ）、ＣＰＵ８は、操作部４からの入力に基づいて、ユーザにより他の検索モードが選択されたか否かを判断する（ステップＳ３）。
【００５１】
ステップＳ３において、ＣＰＵ８が、操作部４からの入力に基づいて、ユーザにより他の検索モードが選択されていないと判断した場合には（ステップＳ３；Ｎｏ）、ステップＳ２に戻る。
【００５２】
ステップＳ３において、ＣＰＵ８が、操作部４からの入力に基づいて、ユーザにより他の検索モードが選択されたと判断した場合には（ステップＳ３；Ｙｅｓ）、選択された検索モードに基づいて入力端子１の検索を行って（ステップＳ４）、本処理を終了する。
【００５３】
一方、ステップＳ２において、ＣＰＵ８が、操作部４からの入力に基づいて、ステップＳ１の入力端子検索画面１２において、ユーザにより「ＡＬＬ」モードが選択されたと判断した場合には（ステップＳ２；Ｙｅｓ）、ＣＰＵ８は、切替プログラム１０Ｃを実行することにより、各入力端子１から入力される映像データに基づく映像を、選択回数データ１０Ｂとして記憶部１０に記憶された回数の多い入力端子１の順で、所定の間隔毎に切り替えて、ＤＭＤ５及びレンズ６等によりスクリーンＳに投射させるとともに、映像データが入力されていない入力端子１を判別して、映像データが入力されていない場合には、「Ｎｏ  Ｓｉｇｎａｌ」１３の表示を投射させる。同時に、ＣＰＵ８は、切替プログラム１０Ｃを実行することにより、所定の間隔毎に切り替えて投射された各入力端子１から入力される映像データに基づく映像に重ね合わせて、ＯＳＤデータ１０Ａである「見たい映像が表示されたら選択キーを押してください」１４とのＯＳＤ表示をスクリーンＳに投射させる（ステップＳ５）。
【００５４】
ここで、例えば、図４に示すように、ＣＰＵ８は、ＤＶＩ１Ａ，コンポーネント１Ｂ，Ｓビデオ端子１Ｃ，コンポジット１Ｄ，コンピュータ用端子１Ｅという順番で、各入力端子１から入力される映像データに基づく映像をスクリーンＳに所定の時間間隔ずつ表示する。このとき、入力端子１からの映像データの入力がない場合には、例えば、「Ｎｏ  Ｓｉｇｎａｌ」１３と表示する。図４では、一例として、Ｓビデオ端子１Ｃからの映像データの入力がない場合を示した。この場合、ＤＶＩ１Ａから入力されたＳＴＢ映像，コンポーネント１Ｂから入力されたＤＶＤ映像，Ｓビデオ端子１Ｃからは映像データの入力がないので「Ｎｏ  Ｓｉｇｎａｌ」１３，コンポジット１Ｄから入力されたビデオ映像，コンピュータ用端子１Ｅから入力されたコンピュータ映像の順でスクリーンＳに表示される。
【００５５】
また、図５に示すように、各映像の表示に重ねあわされて、ＯＳＤデータ１０Ａである「見たい映像が表示されたら選択キーを押してください」１４とのＯＳＤ表示もスクリーンＳに表示される。
【００５６】
次に、ＣＰＵ８は、ステップＳ５において、各入力端子１の映像データに基づく映像の
うち何れかの映像が表示されている際に、ユーザにより選択キー４Ｃが押下されたことに伴う、選択信号の入力があるか否かを判断する（ステップＳ６）。
【００５７】
ステップＳ６において、ユーザにより選択キー４Ｃが押下されず、ＣＰＵ８が選択信号の入力がないと判断した場合には（ステップＳ６；Ｎｏ）、ステップＳ５に戻る。
【００５８】
ステップＳ６において、ユーザにより選択キー４Ｃが押下され、ＣＰＵ８が選択信号の入力があると判断した場合には（ステップＳ６；Ｙｅｓ）、ＣＰＵ８は、設定プログラム１０Ｄを実行することにより、ユーザが操作部４の選択キー４Ｃを押下することにより出力された選択信号に基づいて、切替プログラム１０Ｃを実行することによる切替制御を停止させて、当該選択信号に対応付けられた入力端子１から入力される映像データに基づく映像をＤＭＤ５及びレンズ６等により投射させ（ステップＳ７）、本処理を終了する。
【００５９】
以上に説明した、第１の実施形態に係る投射型映像表示装置１００によれば、ＣＰＵ８が切替プログラム１０Ｃを実行することにより、各入力端子１から入力される映像データに基づく映像を所定の間隔毎に切り替えてＤＭＤ５及びレンズ６等により投射させる切替制御が行われ、ユーザが操作部４の選択キー４Ｃを押下することにより、切替制御されて投射された各入力端子１から入力された映像データに基づく映像のうち、見たい映像を選択することにより、選択信号が出力され、ＣＰＵ８が設定プログラム１０Ｄを実行することにより、当該選択信号に基づいて、切替制御を停止させて、当該選択信号に対応付けられた入力端子１から入力される映像データに基づく映像をＤＭＤ５及びレンズ６等により投射させる設定制御が行われるので、ユーザは、選択したい映像がどの入力端子１のものであるかを認識しなくとも、スクリーンＳに表示された映像のうち選択したい映像を選択するだけで、該映像の入力端子１が自動選択され、スクリーンＳに投射されることとなって、不慣れなユーザでも容易に所望する映像の映像データが入力される入力端子１を選択できる。
【００６０】
また、複数の入力端子１における各入力端子１の選択回数が選択回数データ１０Ｂとして記憶部１０に記憶され、ＣＰＵ８が切替プログラム１０Ｃを実行することにより、選択回数データ１０Ｂとして記憶部１０に記憶された各入力端子１の選択回数の多い順に入力端子１が切り替えられるので、ユーザが頻繁に選択する入力端子１からの映像データに基づく映像が早い順番で投射されることとなって、ユーザが頻繁に選択する入力端子１の映像をより早く選択することができる。
【００６１】
また、ＣＰＵ８が切替プログラム１０Ｃを実行することにより、複数の入力端子１の中で、映像データの入力がされていない入力端子１を判別して、映像データの入力がされていない入力端子１への切替が行われた場合に、映像データの入力がされていない旨の所定の表示、例えば、「Ｎｏ  Ｓｉｇｎａｌ」１３を投射手段に投射させるので、ユーザは映像データの入力がされていない入力端子１を容易に認識することができることとなって、ユーザが故障と誤認することを防ぐことができる。
【００６２】
なお、ステップＳ５において、ＣＰＵ８は、切替プログラム１０Ｃを実行することにより、各入力端子１から入力される映像データに基づく映像を、選択回数データ１０Ｂとして記憶部１０に記憶された回数の多い入力端子１の順で、所定の間隔毎に切り替えて、ＤＭＤ５及びレンズ６等によりスクリーンＳに投射させることとしたが、入力端子１が切り替えられる順番は、これに限られるものではなく、例えば、予め設定され、固定された順番でもよいし、ユーザが任意に設定した順番でもよい。
【００６３】
また、ＣＰＵ８は、切替プログラム１０Ｃを実行することにより、映像データが入力されていない入力端子１を判別して、映像データが入力されていない場合には、「Ｎｏ  Ｓｉｇｎａｌ」１３の表示を投射させることとしたが、映像データが入力されていない場合
には、「Ｎｏ  Ｓｉｇｎａｌ」１３の表示が投射される時間を映像データが入力され該映像データに基づく映像が投射される時間よりも短くしてもよい。
【００６４】
また、映像データが入力されていない場合は、ＤＭＤ５及びレンズ６等によるスクリーンＳへの投射を行わず、映像データが入力されている入力端子１の該映像データに基づく映像のみを投射させることとしてもよい。
【００６５】
以上のように構成することにより、無駄な時間をより短縮することができることとなって、より効率的に入力端子１の切替を行うことができる。
（第２の実施形態）
第２の実施形態に係る投射型映像表示装置２００では、図６に示すように、映像データファイル１１Ｃ，切替プログラム１１Ｄ，設定プログラム１１Ｅの構成のみが第１の実施形態の投射型映像表示装置１００と異なるため、第１の実施形態の投射型映像表示装置１００と同様の構成については、同一符号を付すとともに、その説明を省略する。
【００６６】
記憶部１１は、例えば、プログラムやデータ等が予め記憶されている記録媒体（図示せず）を有しており、この記録媒体は、例えば、半導体メモリ等で構成されている。また、記憶部１１は、ＣＰＵ８が投射型映像表示装置２００全体を制御する機能を実現させるための各種データ，各種処理プログラム，これらプログラムの実行により処理されたデータ等を記憶する。より具体的には、記憶部１１は、例えば、図６に示すように、ＯＳＤデータ１０Ａ，選択回数データ１０Ｂ，映像データファイル１１Ｃ，切替プログラム１１Ｄ，設定プログラム１１Ｅ等を格納している。
【００６７】
映像データファイル１１Ｃは、例えば、各入力端子１から入力される映像データを静止画像データとして記憶している。より具体的には、例えば、ＣＰＵ８が後述する切替プログラム１１Ｄを実行することにより切り替えた各入力端子１から入力される映像データのうち切替直前の映像データに基づく静止画像データを記憶する。記憶部１１は映像データファイル１１Ｃを格納することにより、静止画像記憶手段として機能する。
【００６８】
切替プログラム１１Ｄは、例えば、ＣＰＵ８に、切り替えた各入力端子１から入力される映像データに基づく映像とともに、映像データファイル１１Ｃに記憶された他の入力端子１から入力される映像データの静止画像をＤＭＤ５及びレンズ６等により投射させる機能を実現させるプログラムである。より具体的には、切替プログラム１１Ｄは、ＣＰＵ８に、選択回数データ１０Ｂとして記憶部１１に記憶された回数の多い入力端子１の順で、所定の間隔毎に、入力端子１を切り替えて、切り替えた各入力端子１から入力される映像データに基づく映像とともに、映像データファイル１１Ｃに記憶された他の入力端子１から入力される映像データの静止画像をＤＭＤ５及びレンズ６等により投射させる機能を実現させるプログラムである。ＣＰＵ８は、かかる切替プログラム１１Ｄを実行することにより、切替制御手段として機能する。
【００６９】
設定プログラム１１Ｅは、例えば、ＣＰＵ８に、切替プログラム１１Ｄを実行することによりＤＭＤ５及びレンズ６等により投射された、切り替えた各入力端子１から入力される映像データに基づく映像と、映像データファイル１１Ｃに記憶された他の入力端子１から入力される映像データの静止画像のうち、ユーザが見たい映像を操作部４の選択キー４Ｃを押下して選択することにより出力された選択信号に基づいて、切替プログラム１１Ｄを実行することによる投射表示を停止させて、当該選択信号に対応付けられた入力端子１から入力される映像データに基づく映像をＤＭＤ５及びレンズ６等により投射させる設定制御を行う機能を実現させるプログラムである。ＣＰＵ８は、かかる設定プログラム１１Ｅを実行することにより、設定制御手段として機能する。
【００７０】
次に、上述のような構成の第２の実施形態に係る投射型映像表示装置２００の動作について、図７に示すフローチャートを参照しながら説明する。
【００７１】
まず、図示しない電源スイッチがユーザにより投入されると、図３に示す、入力端子検索画面１２を表示する（ステップＳ１０１）。
【００７２】
次に、ＣＰＵ８は、操作部４からの入力に基づいて、ステップＳ１０１の入力端子検索画面１２において、ユーザにより「ＡＬＬ」モードが選択されたか否かを判断する（ステップＳ１０２）。
【００７３】
ステップＳ１０２において、ＣＰＵ８が、操作部４からの入力に基づいて、ステップＳ１０１の入力端子検索画面１２において、ユーザにより「ＡＬＬ」モードが選択されなかったと判断した場合には（ステップＳ１０２；Ｎｏ）、ＣＰＵ８は、操作部４からの入力に基づいて、ユーザにより他の検索モードが選択されたか否かを判断する（ステップＳ１０３）。
【００７４】
ステップＳ１０３において、ＣＰＵ８が、操作部４からの入力に基づいて、ユーザにより他の検索モードが選択されていないと判断した場合には（ステップＳ１０３；Ｎｏ）、ステップＳ１０２に戻る。
【００７５】
ステップＳ１０３において、ＣＰＵ８が、操作部４からの入力に基づいて、ユーザにより他の検索モードが選択されたと判断した場合には（ステップＳ１０３；Ｙｅｓ）、選択された検索モードに基づいて入力端子１の検索を行って（ステップＳ１０４）、本処理を終了する。
【００７６】
一方、ステップＳ１０２において、ＣＰＵ８が、操作部４からの入力に基づいて、ステップＳ１０１の入力端子検索画面１２において、ユーザにより「ＡＬＬ」モードが選択されたと判断した場合には（ステップＳ１０２；Ｙｅｓ）、ＣＰＵ８は、切替プログラム１１Ｄを実行することにより、選択回数データ１０Ｂとして記憶部１１に記憶された回数の多い入力端子１の順で、所定の間隔毎に、入力端子１を切り替えて、切り替えた各入力端子１から入力される映像データに基づく映像とともに、映像データファイル１１Ｃに記憶された他の入力端子１から入力される映像データの静止画像をＤＭＤ５及びレンズ６等により投射させる（ステップＳ１０５）。
【００７７】
ステップＳ１０５における処理により、図８に示すように、切り替えられた入力端子１からの映像データに基づく映像とともに、他の入力端子１から入力される映像データに基づく静止画像が一覧表示される。
【００７８】
そして、図８に示す一覧表示において、切り替えられた入力端子１からの映像データに基づく映像と、他の入力端子１から入力される映像データに基づく静止画像とが、所定の間隔毎に、選択回数データ１０Ｂとして記憶部１１に記憶された回数の多い入力端子１の順で切り替えられ、切り替えられる直前の映像データに基づく静止画像が表示されるようになっている。
【００７９】
次に、ＣＰＵ８は、ステップＳ１０５において、一覧表示された映像の中から、何れかの映像が、ユーザにより選択キー４Ｃを押下することにより選択されて、選択信号が入力されたか否かを判断する（ステップＳ１０６）。
【００８０】
ここで、図８の一覧表示において、映像を選択するための図示しないカーソルが表示される場合には、ユーザが操作部４のカーソルキー４Ａを操作して所望する映像にカーソルを合わせて選択キー４Ｃを押下することにより映像が選択されてもよい。
【００８１】
一方、図８の一覧表示において、映像を選択するためのカーソル等が表示されない場合
には、所望する映像が、静止画像から切り替えられて、入力端子１から入力される映像データに基づく映像となっている際に、ユーザが操作部４の選択キー４Ｃを押下することにより映像が選択されてもよい。
【００８２】
ステップＳ１０６において、ユーザにより選択キー４Ｃが押下されず、ＣＰＵ８が選択信号の入力がないと判断した場合には（ステップＳ１０６；Ｎｏ）、ステップＳ１０５に戻る。
【００８３】
ステップＳ１０６において、ユーザにより選択キー４Ｃが押下され、ＣＰＵ８が選択信号の入力があると判断した場合には（ステップＳ１０６；Ｙｅｓ）、ＣＰＵ８は、設定プログラム１１Ｅを実行することにより、ユーザにより選択キー４Ｃが押下されて出力された選択信号に基づいて、切替プログラム１１Ｄを実行することによる投射表示を停止させて、当該選択信号に対応付けられた入力端子１から入力される映像データに基づく映像をＤＭＤ５及びレンズ６等により投射させ（ステップＳ１０７）、本処理を終了する。
【００８４】
以上に説明した、第２の実施形態に係る投射型映像表示装置２００によれば、各入力端子１から入力される映像データの静止画像が映像データファイル１１Ｃに記憶され、ＣＰＵ８が切替プログラム１１Ｄを実行することにより、切り替えた入力端子１から入力される映像データに基づく映像とともに、映像データファイル１１Ｃに記憶された他の入力端子１から入力される映像データの静止画像をＤＭＤ５及びレンズ６等により投射させるので、ユーザは、すべての入力端子１から入力される映像データに基づく映像を一覧することができ、より好適に、入力端子１の切替を行うことができる。
【００８５】
なお、ステップＳ１０５において、ＣＰＵ８は、切替プログラム１１Ｄを実行することにより、各入力端子１から入力される映像データに基づく映像を、選択回数データ１０Ｂとして記憶部１１に記憶された回数の多い入力端子１の順で、所定の間隔毎に切り替えることとしたが、入力端子１が切り替えられる順番は、これに限られるものではなく、例えば、予め設定され、固定された順番でもよいし、ユーザが任意に設定した順番でもよい。
【００８６】
また、ＣＰＵ８は、切替プログラム１１Ｄを実行することにより、映像データが入力されていない入力端子１を判別して、映像データが入力されていない場合には、「Ｎｏ  Ｓｉｇｎａｌ」１３の表示を投射させることとしたが、映像データが入力されていない場合には、「Ｎｏ  Ｓｉｇｎａｌ」１３の表示が投射される時間を映像データが入力され該映像データに基づく映像が投射される時間よりも短くしてもよい。
【００８７】
また、映像データが入力されていない場合は、ＤＭＤ５及びレンズ６等によるスクリーンＳへの投射を行わず、映像データが入力されている入力端子１の該映像データに基づく映像のみを投射させることとしてもよい。
【００８８】
以上のように構成することにより、無駄な時間をより短縮することができることとなって、より効率的に入力端子１の切替を行うことができる。
【図面の簡単な説明】
【００８９】
【図１】本発明の第１の実施形態に係る投射型映像表示装置の要部構成を示すブロック図である。
【図２】本発明の第１の実施形態に係る投射型映像表示装置の動作を説明するフローチャートである。
【図３】本発明の実施形態に係る入力端子検索画面を説明する図である。
【図４】本発明の第１の実施形態に係る投射型映像表示装置の切替制御を説明する図である。
【図５】本発明の第１の実施形態に係る投射型映像表示装置の切替制御により投射された映像を説明する図である。
【図６】本発明の第２の実施形態に係る投射型映像表示装置の要部構成を示すブロック図である。
【図７】本発明の第２の実施形態に係る投射型映像表示装置の動作を説明するフローチャートである。
【図８】本発明の第２の実施形態に係る投射型映像表示装置により投射された映像を説明する図である。
【符号の説明】
【００９０】
１  入力端子
４  操作部（選択手段）
５  ＤＭＤ（投射手段）
６  レンズ（投射手段）
８  ＣＰＵ（切替制御手段，設定制御手段）
１０，１１  記憶部（選択回数記憶手段，静止画像記憶手段）
１０Ｂ  選択回数データ
１１Ｃ  映像データファイル（静止画像記憶手段）
１０Ｃ，１１Ｄ  切替プログラム（切替制御手段）
１０Ｄ，１１Ｅ  設定プログラム（設定制御手段）
１３  「Ｎｏ  Ｓｉｇｎａｌ」（所定の表示）
１００，２００  投射型映像表示装置
Ｓ  スクリーン
【図１】
2006301214.tif 000003
【図２】
2006301214.tif 000004
【図３】
2006301214.tif 000005
【図４】
2006301214.tif 000006
【図５】
2006301214.tif 000007
【図６】
2006301214.tif 000008
【図７】
2006301214.tif 000009
【図８】
2006301214.tif 000010